(57)【要約】【課題】地表面に対して傾斜した構造物を構築する際の施工性を向上させることのできる構造物の構築方法を提供すること。【解決手段】作業台４０を施工対象階の外壁面に対応させて配置し、作業台４０を用いて施工対象階の施工を行った後に、作業台４０を外壁面に沿って次の施工対象階まで上昇させる工程を繰り返すことにより、地表面に対して傾斜した構造物を上層部まで順次構築する方法において、作業台４０を、構造物の傾斜方向に移動させることによって次の施工対象階まで上昇させる。【選択図】        図３
2010048060.tif 000002
【特許請求の範囲】
【請求項１】
作業台を施工対象階の外壁面に対応させて配置し、前記作業台を用いて施工対象階の施工を行った後に、前記作業台を前記外壁面に沿って次の施工対象階まで上昇させる工程を繰り返すことにより、地表面に対して傾斜した構造物を上層部まで順次構築する方法において、
前記作業台を、前記構造物の傾斜方向に移動させることによって次の施工対象階まで上昇させることを特徴とする構造物の構築方法。
【請求項２】
前記外壁面にジャッキ支持部材を取付け、前記ジャッキ支持部材に支持させたジャッキで前記作業台を前記構造物の傾斜方向に押し上げることによって、前記作業台を次の施工対象階まで上昇させることを特徴とする請求項１に記載の構造物の構築方法。
【請求項３】
前記作業台上に足場を設けるとともに、前記作業台の下部に吊足場を設けることを特徴とする請求項１又は２に記載の構造物の構築方法。
【発明の詳細な説明】
【技術分野】
【０００１】
本発明は、地表面に対して傾斜した構造物を構築する方法に関するものである。
【背景技術】
【０００２】
従来、地表面に対して傾斜した構造物を構築する方法の一例として、特許文献１に示される斜柱の構築方法が知られている。この方法では、構築する斜柱の外壁面に沿って水平方向にレールを吊下げ支持し、このレール上にスライド可能に設置された作業台（足場）を用いて、鉄筋組立、型枠設置、コンクリート打設等の作業を行う。そして、これらの施工が完了した後、レールを鉛直方向に引き上げて、作業台を次の施工対象階まで上昇させる。上記の工程を繰り返し行うことによって斜柱を構築する。
【０００３】
斜柱に対して作業台を鉛直方向に引き上げる場合、作業台が上昇するにつれて、斜柱の位置に対して作業台の位置がずれる。このため、作業台を引き上げた後にこの作業台を水平方向に移動させて、斜柱の位置に作業台を合わせるようにしている。作業台を水平方向に移動させる際には、作業台のつりあいをとる必要がある。
【０００４】
【特許文献１】特開平１０−３３９０３３号公報
【発明の開示】
【発明が解決しようとする課題】
【０００５】
上述した特許文献１の構築方法では、作業台をレールに対して水平方向に移動させるための機構が必須であり、その分装置が複雑になる。また、作業台を上階の設置位置に引き上げるたびに、作業台を水平方向に移動させ、作業台の位置を斜柱の位置に合わせる必要があるため、施工効率が悪いという問題がある。さらに、作業台を水平方向に移動させる際に、常に作業台のつりあいをとるように移動させることは困難である。
【０００６】
本発明は、上記の点に鑑み、地表面に対して傾斜した構造物を構築する際の施工性を向上させることのできる方法を提供することを目的とする。
【課題を解決するための手段】
【０００７】
本発明の構造物の構築方法は、作業台を施工対象階の外壁面に対応させて配置し、前記作業台を用いて施工対象階の施工を行った後に、前記作業台を前記外壁面に沿って次の施工対象階まで上昇させる工程を繰り返すことにより、地表面に対して傾斜した構造物を上層部まで順次構築する方法において、前記作業台を、前記構造物の傾斜方向に移動させることによって次の施工対象階まで上昇させることを特徴とする。
【０００８】
また、本発明の請求項２の構造物の構築方法は、上記請求項１において、前記外壁面にジャッキ支持部材を取付け、前記ジャッキ支持部材に支持させたジャッキで前記作業台を前記構造物の傾斜方向に押し上げることによって、前記作業台を次の施工対象階まで上昇させることを特徴とする。
【０００９】
また、本発明の請求項３の構造物の構築方法は、上記請求項１又は２において、前記作業台上に足場を設けるとともに、前記作業台の下部に吊足場を設けることを特徴とする。
【発明の効果】
【００１０】
本発明の構造物の構築方法によれば、作業台を上階の設置位置まで上昇させる際に、傾斜した構造物の傾斜方向に作業台を移動させるようにしたことで、傾斜した構造物に対して鉛直方向に作業台を引き上げる従来の方法のように、作業台を上階の設置位置に引き上げるたびに構造物に対して作業台の位置がずれるといったことがなくなるため、施工性に優れる。
【発明を実施するための最良の形態】
【００１１】
以下に、添付図面を参照して、本発明の構造物の構築方法における好適な実施の形態について詳細に説明する。なお、以下では、構造物として斜張橋の主塔を適用した例について説明する。
【００１２】
図１は斜張橋の側面図であり、図２は図１に示した斜張橋における主塔の正面図である。図１に例示される斜張橋１は、橋梁の中間２箇所に設けた主塔２，２より、斜めに張ったケーブル３で橋桁４を支持した構造を有する一般的な斜張橋である。
【００１３】
主塔２は、図２に示すように、一対の斜柱５，５と頂部６とから構成される鉄筋コンクリート構造物である。一対の斜柱５，５は、橋脚７の両端部を基端とし、上方へいくにつれて相互の間隔が狭まる態様で地表面に対して傾斜した形状を有している。
【００１４】
本実施の形態では、以下に説明するように、斜柱５の傾斜方向に移動可能な作業台ユニット１０を斜柱５の施工対象階に設置し、作業台ユニット１０に足場を設置し、この足場を用いて、鉄筋組立て作業、型枠組立て作業、型枠内へのコンクリート打設作業、硬化コンクリート仕上げ作業等の施工を行い、これらの施工完了後に、作業台ユニット１０を斜柱５の傾斜方向に上昇させる工程を繰り返すことにより、斜柱５を構築する。なお本実施の形態では、作業台ユニット１０を１階（約４ｍ）ずつ上昇させる。また、一対の斜柱５，５に設置される各作業台ユニット１０は同一のものである。
【００１５】
図３は、作業台ユニット１０を用いて斜柱５の構築を行っている状態を示す正面図であり、図４は、図３において右側に位置する斜柱５に設置された作業台ユニット１０を拡大して示した図である。なお、図３では、右側の作業台ユニット１０における吊足場５２を省略している。また、図４では、作業台ユニット１０上に設置される足場５１と下方に吊設される吊足場５２を省略するとともに、受梁３０の一部を破断して示している。
【００１６】
図３及び図４に例示する作業台ユニット１０は、斜柱５における正面の壁面及び背面の壁面にそれぞれ設置されるクライミング装置２０と、クライミング装置２０に支持される一対の受梁３０，３０と、一対の受梁３０，３０上に架設される作業台４０とを備えて構成してある。
【００１７】
クライミング装置２０は、作業台４０を支持する機能と作業台４０を斜柱５の傾斜方向に上昇させる機能とを兼ね備えたものであり、鋼板２１、反力柱２２、ジャッキ支持部材２３、ジャッキ２４、支持部材２５とから構成されるものである。
【００１８】
鋼板２１は、後述する反力柱２２を固定するためのものであり、斜柱５の外壁面、すなわち、コンクリートを打設した後所定期間養生させ、十分に強度が発現した状態の硬化コンクリート壁面８に、アンカーボルト２６によって固定してある。
【００１９】
反力柱２２は、Ｈ形鋼等の長尺形状を成す鋼材からなるものであり、図４に示すように、斜柱５の傾斜方向に平行に配置され、ボルト等の締結手段（図示せず）によって鋼板２１に対して固定してある。この反力柱２２は、ジャッキ２４で作業台４０を押し上げる際の反力受けとしての機能を有すると同時に、支持部材２５及びジャッキ２４を上昇させる案内レールとしての機能を有したものである。
【００２０】
ジャッキ支持部材２３は、ジャッキ２４の下端部と締結され、反力柱２２に沿って移動可能に反力柱２２に取付けられる鋼材である。作業者が作業台４０で作業を行う際、及び、ジャッキ２４を伸長させて作業台４０を押し上げる際には、このジャッキ支持部材２３をボルト等の締結手段（図示せず）によって反力柱２２に対して固定する。一方、ジャッキ２４を伸長させて作業台４０を上階まで押し上げた後、クライミング装置２０を上階に盛り替える際には、ジャッキ支持部材２３と反力柱２２とのボルト締結を解除することにより、ジャッキ支持部材２３を反力柱２２に沿って上昇させることができるようになっている。
【００２１】
ジャッキ２４は、その下端部がジャッキ支持部材２３に締結される一方、上端部が支持部材２５に締結され、自身を伸長させて支持部材２５及びジャッキ支持部材２３を押すことにより、支持部材２５上の受梁３０及び作業台４０を押し上げるものである。ジャッキ２４は、図４に示すように、反力柱２２に平行に、すなわち、斜柱５の傾斜方向に平行となるように配置される。ジャッキ２４としては、油圧式ジャッキ等の一般的なものを適用することができる。
【００２２】
支持部材２５は、図４に示すように、受梁３０を支持する鋼材である。この支持部材２５は、ジャッキ２４の上端部と締結され、反力柱２２に沿って移動可能に反力柱２２に対して取付けてある。作業者が作業台４０で作業を行う際、及び、クライミング装置２０を上層部に盛り替える際には、この支持部材２５をボルト等の締結手段（図示せず）によって反力柱２２に対して固定する。一方、ジャッキ２４を伸長させて作業台４０を押し上げる際には、支持部材２５と反力柱２２との締結を解除することにより、支持部材２５を反力柱２２に沿って上昇させることができるようになっている。
【００２３】
上記のように構成したクライミング装置２０は、斜柱５における正面５ａの壁面及び背面（図示せず）の壁面にそれぞれ一対ずつ、計４台配置される。
【００２４】
受梁３０は、上述したクライミング装置２０に支持されるものであり、斜柱５の幅寸法よりも大きい長さ寸法を有している。本実施の形態では、受梁３０として、図３及び図４に例示するようなトラス梁を適用している。この受梁３０は、斜柱５の正面５ａ側と背面側（図示せず）にそれぞれ一本ずつ配置される。
【００２５】
作業台４０は、上述した２本の受梁３０，３０間に架設される矩形状の台である。図には明示されていないが、この作業台４０の中央部分には、斜柱５の周囲を取り囲む態様で開口部が形成してある。作業台４０と受梁３０との間には、図４に示すようにコロ装置４１を介在させてあり、作業台４０が受梁３０に対してスライド可能となっている。
【００２６】
上記の作業台４０には、図３に示すように、斜柱５の周りに足場５１及び吊足場５２が設置される。足場５１は、作業台４０上で建枠５３を上下方向及び左右方向に所要数連結して設けた枠組足場である。吊足場５２は、作業台４０から複数の吊枠５４を吊下げることによって設けた足場である。本実施の形態では、足場５１を２階層分設置し、吊足場５２を１階層分設置する。
【００２７】
作業台４０上に設置される足場に使用する建枠は圧縮材料から構成されており、吊足場に使用する吊枠と比べて重い。このため、本実施の形態のように、作業台４０上に２階層の足場５１を設け、作業台４０の下方に１階層の吊足場５２を吊設する場合、作業台４０上に３階層の足場を設ける場合と比べて、作業台ユニット１０の全体重量を減らすことができる。
【００２８】
作業台４０の支点は、一対のクライミング装置２０における支持部材２５の中間付近にある。そして、足場５１及び吊足場５２が設置されていない状態では、作業台４０は支点の回りでつりあっている。図５に示すように、斜柱５において作業台４０より上の部分は、支点に対して左側にある。このため、作業台４０上で斜柱５の周りに足場５１を設けると、足場５１の重心は支点より左になり、作業台４０はつりあいがとれなくなる。そこで、作業台４０のつりあいをとるために、図５に示すように、作業台ユニット１０の操作を行う操作室５５を作業台４０の右側に設けることにより、これをカウンタウェイト代わりにしている。なお、図５では、図３において右側に位置する斜柱５を例示したが、図３において左側に位置する斜柱５の場合には、操作室５５を作業台４０の左側に設置するのはいうまでもない。
【００２９】
上記のように構成した作業台ユニット１０では、図５に示すように、足場５１の２階において鉄筋９の組立て・配置作業を行い、足場５２の１階において型枠１１の組立て及び型枠１１内へのコンクリート打設作業を行う。また、吊足場５２においては、所定期間養生させて十分な強度が発現した状態にある硬化コンクリートの壁面８の仕上げ作業を行う。
【００３０】
次に、図６−１〜図６−４を参照しながら、作業台ユニット１０を用いて斜柱５を構築する手順について説明する。なお、本実施の形態では、一対の斜柱５，５にそれぞれ作業台ユニット１０を設置して独立に施工を行うため、以下では一方の斜柱５の構築についてのみ説明する。
【００３１】
まず、図６−１に示すように斜柱５の１階の構築を行う際には、作業台ユニット１０を用いず、橋脚７上に足場（図示せず）を設け、通常支保工で構築する。１階に打設したコンクリートを養生させて硬化させた後、以下のようにして、図６−２に示す位置に作業台ユニット１０を設置する。斜柱５の１階の硬化コンクリート壁面８に鋼板２１（図４を参照）を介して反力柱２２を固定し、クライミング装置２０を設置する。この際、クライミング装置２０のジャッキ支持部材２３及び支持部材２５はともに反力柱２２に対して固定しておく。次いで、クライミング装置２０に受梁を介して作業台４０を支持させた後、作業台４０上に２階層の足場５１を設けるとともに、作業台４０の下部に１階層の吊足場５２を設ける。以上のようにして、作業台ユニット１０の設置が完了する。
【００３２】
斜柱の２階以降は、作業台ユニット１０を用いて構築する。図６−２に示すように、足場５１の１階では、斜柱５の２階部分の鉄筋組立て、型枠１１の設置、型枠１１内へのコンクリート打設を行う。足場５１の２階では、斜柱５の３階部分の鉄筋組立てを行う。また、吊足場５２では、斜柱５の１階の硬化コンクリートの仕上げ作業を行う。以上の施工を同時進行で行う。
【００３３】
斜柱５の１階〜３階までの施工が完了し、２階に打設したコンクリートが硬化した後、斜柱５の２階の硬化コンクリート壁面８に鋼板２１（図４を参照）を介して反力柱２２を固定し、クライミング装置２０を設置する。この際、２階の反力柱２２を、１階に設置した反力柱２２に連続するように設置する。
【００３４】
次いで、以下のようにして、作業台ユニット１０を上階の設置位置（図６−２の破線で示す位置）まで上昇させる。まず、クライミング装置２０の支持部材２５と反力柱２２との締結を解除し、支持部材２５を反力柱２２に沿って移動可能な状態にする。次に、ジャッキ２４を伸長させ、支持部材２５を反力柱２２に沿って上昇させることによって作業台４０を押し上げる。これにより、作業台４０は斜柱５の傾斜方向に上昇し、上階の設置位置に到達する。
【００３５】
作業台４０を上階の設置位置まで上昇させた後、クライミング装置２０の支持部材２５を反力柱２２に対して固定する。一方、ジャッキ支持部材２３と反力柱２２との締結を解除し、ジャッキ支持部材２３を反力柱２２に沿って移動可能な状態にする。そして、ジャッキ２４を縮退させてジャッキ支持部材２３を反力柱２２に沿って上昇させた後、ジャッキ支持部材２３を反力柱２２に固定する。以上の手順により、図６−３に示すように作業台ユニット１０の移動が完了する。
【００３６】
図６−２及び図６−３に示すように、上階の設置位置に移動した後の作業台４０の斜柱５に対する位置は、移動する前の作業台４０の斜柱５に対する位置と変わらない。すなわち、斜柱５に対して作業台４０の位置がずれることはない。従って、作業台４０を上階の設置位置に移動させた後、作業台４０を水平方向に移動させたり、足場５１及び吊足場５２を移動させる必要がなく、速やかに各作業に取り掛かることができる。
【００３７】
作業台ユニット１０が図６−３に示す位置にあるとき、足場５１の１階では、斜柱５の３階部分の型枠１１の設置及び型枠１１内へのコンクリート打設を行い、足場５１の２階では、斜柱の４階の鉄筋９の組立てを行い、吊足場５２では、斜柱５の２階の硬化コンクリートの仕上げ作業を行う。
【００３８】
上記の工程を繰り返すことによって斜柱５を斜め上方に向けて順次構築していく。他方の斜柱５についても同様の工程を繰り返して構築する。
【００３９】
なお、一対の斜柱５，５の構築が進むのに伴い、一対の斜柱５，５間の距離は狭まる。このため、上層部の構築を行う際には、２台の作業台４０，４０が衝突するのを防止するために、図６−４に示すように、各作業台４０を互いに離れる方向に受梁３０に対してスライドさせる。
【００４０】
以上説明したように、本実施の形態における構造物の構築方法によれば、作業台４０を上階の設置位置に上昇させる際に、斜柱５の傾斜方向に作業台４０を移動させるようにしたことで、斜柱５に対して鉛直方向に作業台４０を引き上げる従来の方法のように、作業台４０を上階の設置位置に引き上げるたびに斜柱５に対して作業台４０の位置がずれるといったことがなくなるため、施工性に優れる。
【００４１】
また、本実施の形態における構造物の構築方法によれば、外壁面に反力柱２２を介してジャッキ支持部材２３を取付け、ジャッキ支持部材２３に支持させたジャッキ２４を用いて、作業台４０を斜柱５の傾斜方向に押し上げるようにしたことで、簡易な構成で確実に作業台４０を斜柱５の傾斜方向に移動させることができる。
【００４２】
また、本実施の形態における構造物の構築方法によれば、作業台４０上に足場５１を設けるとともに、作業台４０の下方に吊足場５２を吊設することで、作業台４０上のみに足場を設ける場合と比べて、作業台ユニット１０の全体重量を減らすことが可能である。すなわち、作業台４０上に設置される足場５１に使用する建枠は圧縮材料から構成されるものであるため、吊足場に使用する吊枠と比べて重い。このため、上記実施の形態のように、作業台４０上に２階層の足場５１を設け、作業台４０の下方に１階層の吊足場５２を吊設する場合、作業台４０上に３階層の足場５１を設ける場合と比べて、作業台ユニット１０の全体重量を減らすことができる。
【００４３】
なお、上記実施の形態は、斜張橋の主塔を構築する場合について説明したが、適用対象はこれに限定されるものではなく、他の柱状の構造物を斜めに構築する場合にも適用することができる。また、上記実施の形態では、鉄筋コンクリート構造物を構築する場合について説明したが、鉄塔などの鉄筋コンクリート構造物以外の構造物にも適用することができる。
【００４４】
また、上記実施の形態では、２本の構造物を構築する場合について説明したが、１本の構造物に適用してもよいのはもちろんである。
【００４５】
さらに、上記実施の形態では、一対の斜柱５，５に設置した各作業台ユニット１０の作業台４０が衝突するのを防止するために、受梁３０に対して作業台４０をスライド可能に構成したが、１本の構造物を構築する場合には、必ずしもスライド機構を設ける必要はない。
【図面の簡単な説明】
【００４６】
【図１】斜張橋の側面図である。
【図２】図１に示す斜張橋における主塔の正面図である。
【図３】本発明の構築方法を適用して図２に示す主塔（斜柱）の構築を行っている状態を示す正面図である。
【図４】図３において、作業台ユニットを拡大して示した図である。
【図５】作業台ユニットの足場の各階で行う施工内容を説明するための図である。
【図６−１】作業台ユニットを用いて斜柱を構築する手順を説明する図である。
【図６−２】作業台ユニットを用いて斜柱を構築する手順を説明する図である。
【図６−３】作業台ユニットを用いて斜柱を構築する手順を説明する図である。
【図６−４】作業台ユニットを用いて斜柱を構築する手順を説明する図である。
【符号の説明】
【００４７】
１    斜張橋
２    主塔
３    ケーブル
４    橋桁
５    斜柱
６    頂部
７    橋脚
８    硬化コンクリート壁面
９    鉄筋
１０  作業台ユニット
１１  型枠
２０  クライミング装置
２１  鋼板
２２  反力柱
２３  ジャッキ支持部材
２４  ジャッキ
２５  支持部材
２６  アンカーボルト
３０  受梁
４０  作業台
４１  コロ装置
５１  足場
５２  吊足場
５３  建枠
５４  吊枠
５５  操作室  
【図１】
2010048060.tif 000003
【図２】
2010048060.tif 000004
【図３】
2010048060.tif 000005
【図４】
2010048060.tif 000006
【図５】
2010048060.tif 000007
【図６−１】
2010048060.tif 000008
【図６−２】
2010048060.tif 000009
【図６−３】
2010048060.tif 000010
【図６−４】
2010048060.tif 000011